(57)【特許請求の範囲】
【請求項１】
茶枝葉を切断する切断手段と、
切断した茶枝葉を収容する収容手段と、
前記切断手段において切断された茶枝葉を前記収容手段まで送風力によって移送する送風手段と、
前記切断手段と前記収容手段を接続する茶葉誘導手段と、
複数の前記収容手段に茶枝葉を収容するために前記茶葉誘導手段を仕切る仕切部と、
前記茶葉誘導手段の底板の一点から上方向及び左右方向へ広がって前記仕切部に到達する茶葉案内板とよりなり、該茶葉案内板は前記切断手段より後ろ方向に設置されていることを特徴とする茶葉摘採装置。
【請求項２】
前記茶葉案内板は、縦断面が円弧形状であることを特徴とする請求項１記載の茶葉摘採装置。
【請求項３】
前記茶葉案内板は、縦断面が多角形状であることを特徴とする請求項１記載の茶葉摘採装置。
【発明の詳細な説明】
【技術分野】
【０００１】
本発明は、茶枝葉を切断する茶葉摘採装置に関するものである。
【背景技術】
【０００２】
切断された茶枝葉を送風力により茶葉収容手段へ収容する際に、茶葉誘導手段内に設けられた仕切部に茶枝葉が引っかかる。茶枝葉が一つ引っかかると、その茶枝葉に更に茶枝葉が引っかかり、溜まり、塊になる。これは、茶枝葉のスムーズな移送の妨げとなるだけではなく、塊が切断手段付近まで大きくなると、塊が切断対象となる茶枝葉を押し倒し、茶枝葉の切断ができなくなる。すると、茶畝の途中で切断作業を中断し、詰まった茶枝葉を取り除かなければならなかった。
【０００３】
そのため、従来は、特許文献１のように、仕切部の前方に縦回転するブラシを設けて回転運動させたり、特許文献２のように、垂直に立ち上げられたピンを平行に往復駆動させたりして、茶枝葉が引っかかることがないように、強制的に茶枝葉を仕切部の左右に振り分けて、除去していた。
【先行技術文献】
【特許文献】
【０００４】
【特許文献１】特開平７−１１５８２８号公報
【特許文献２】特開２００１−３１４１１３号公報
【発明の概要】
【発明が解決しようとする課題】
【０００５】
従来の特許文献１、２の装置では、構造が複雑となり、製作コストが上昇するのみならず、ブラシやピンが破損した場合、ブラシやピン等の部品が茶枝葉への混入する恐れがあった。
【０００６】
また、切断途中に回転運動または往復駆動する装置が故障した場合、故障したままでは切断作業を続けることができない。また、仕切部に引っかかりが発生した状態で作業を行おうとする場合、茶葉摘採装置の運転手以外にもう一人の作業者が付き添って、仕切部に引っかかった茶枝葉を手作業で除去しなければならなかった。つまり、通常より多くの人工が必要となっていた。また、この除去作業は切断手段付近で行われることになり、危険が伴っていた。
【０００７】
本発明は、仕切部に茶枝葉が引っかかることを防止し、確実に茶枝葉を左右に振り分けることができる茶葉摘採装置を提供することを課題としている。
【課題を解決するための手段】
【０００８】
本発明の第１手段は、
茶枝葉を切断する切断手段と、
切断した茶枝葉を収容する収容手段と、
前記切断手段において切断された茶枝葉を前記収容手段まで送風力によって移送する送風手段と、
前記切断手段と前記収容手段を接続する茶葉誘導手段と、
複数の前記収容手段に茶枝葉を収容するために前記茶葉誘導手段を仕切る仕切部と、
前記茶葉誘導手段の底板の一点から上方向及び左右方向へ広がって前記仕切部に到達する茶葉案内板とよりなり、該茶葉案内板は前記切断手段より後ろ方向に設置されていることを特徴とする茶葉摘採装置。
【０００９】
本発明の第２手段は、前記第１手段のおいての前記茶葉案内板は、縦断面が円弧形状である。
本発明の第３手段は、前記第１手段において、前記茶葉案内板は、縦断面が多角形状である。
【発明の効果】
【００１０】
本発明により、茶葉摘採装置の構造を簡便とすることができ、茶葉摘採装置が故障することはなく、破損等による異物混入リスクが低減される。さらに、茶葉摘採装置の構造を簡便にすることができるので、製造コストを低減することができる。また、茶葉摘採装置の仕切部で故障することはないので、万一の場合の仕切部への茶枝葉の引っかかりを取り除く作業からも永遠に解放される。
【図面の簡単な説明】
【００１１】
【図１】図１は茶葉摘採装置の斜視図である。（実施例１）
【図２】図２は茶葉摘採装置の切断手段から収容手段までの斜視図である。（実施例１）
【図３】図３は茶葉摘採装置の切断手段から収容手段までの正面図である。（実施例１）
【図４】図４は茶葉摘採装置の切断手段から収容手段までの平面図である。（実施例１）
【図５】図５は茶葉摘採装置の茶葉案内板付近の斜視図である。（実施例１）
【図６】図６は茶葉摘採装置の茶葉案内板の正面図である。（実施例２）
【図７】図７は茶葉摘採装置の茶葉案内板の正面図である。（実施例３）
【発明を実施するための形態】
【００１２】
図面に基づいて説明をする。茶葉摘採装置は、茶畝２０を挟んで２本のクローラ型の走行装置２を門型枠４でつないだ乗用型作業機に搭載されており、門型枠４の下に刈刃２１を有する切断手段５を配置する。刈刃２１はバリカン型であり、上下２枚の刈刃２１が畝幅方向に往復運動し、茶枝葉を切断する構造となっている。切断手段５は、所定の切断高さへ上下動可能となっている。切断手段５の後方には、茶葉誘導手段６を設け、その後方には茶葉収容手段として、一部を通風のためにメッシュ状とした収容袋７を着脱自在に設ける。収容袋７は一般的に左右に２つ設けられており、それぞれ茶畝２０の巾方向の略半分にて切断された茶枝葉の収容を受け持っている。そのため、茶葉誘導手段６の略中央部にてそれぞれの収容袋７の口が隣接する形となり、茶枝葉を左右２つに分けるための仕切部１５を設ける。この仕切部１５は、略半円弧状に構成されており、切断手段５と茶葉収容手段（収容袋７）を接続する茶葉誘導手段６の前後の長さの半分より後方の茶葉収容手段（収容袋７）側へ設けられている。本実施例では仕切部１５は略半円弧状に折り曲げて構成されているが、略半円弧状ではなく多角形状や鋭角に折り曲げられていてもよい。この仕切部１５の前方に、茶葉誘導手段６の底板６Ａの一点１６Ａから仕切部１５に向けて、上方向及び左右方向へ広がる茶葉案内板１６を設ける。仕切部１５が切断手段５と茶葉収容手段（収容袋７）を接続する茶葉誘導手段６の前後の長さの半分より後方にあるため、多量の茶枝葉を切断作業する場合、茶枝葉は送風力による十分な加速区間（時間）を得ることができ、茶葉案内板１６による十分な振り分け効果を得ることができる。門型枠４の上には、送風ファン９、１０が設置してあり、フレキシブルな送風ダクト１１、１２で多数の吹出枝管１３へ接続されており、送風手段となって茶枝葉Ｔを風送している。（送風手段はこの限りではない）
【実施例１】
【００１３】
茶葉案内板１６の一例として、断面形状が三角形となるものを実施例１として説明する。茶葉案内板１６と茶葉誘導手段６の底板６Ａにより形成される形状は、三角錐のような形状となる。茶葉案内板１６は左右対称であるのが望ましく、左右対称であれば、左右の収容袋７への茶枝葉Ｔの収容量をほぼ同じにすることができる。茶葉案内板１６を仕切部１５と一体にすることにより、構造がさらに簡便となり、不要な接合部での隙間をなくし、さらにスムーズに移送できる。
【００１４】
茶樹を畝状に仕立てた茶畝２０は、一定の間隔を持って植え付けられて栽培されており、その茶畝２０と茶畝２０の間の畝間を、茶畝２０を跨ぐ門型枠４に取り付けられた走行装置２により走行し、切断作業を実施する。切断手段５を茶畝２０の切断位置へ高さを合わせ、操作部１９にて切断手段５及び送風手段への動力を供給し、走行装置２にて走行しながら茶枝葉Ｔの切断作業を開始する。
【００１５】
茶畝２０の上面に伸びた茶枝葉Ｔは、茶畝２０の巾の概ね全面を覆うバリカン型の刈刃２１にて切断され、切断手段５の進行方向の前側上部に位置する送風手段の多数の吹出枝管１３より吹出される送風力にて左右それぞれの収容袋７に向けて移送されていく。このとき、刈刃２１の中央部付近で切断された茶枝葉Ｔは、送風力により収容袋７方向へ移送が開始され、仕切部１５の前部に設けられた茶葉案内板１６の表面に沿って左右へ振り分けられ、左右それぞれの収容袋７へ収容される。
【００１６】
左右それぞれの収容袋７、もしくはどちらか一方の収容袋７が一杯になった時点で、操作部１９により切断手段５及び送風手段の動力を停止し、収容袋７を交換する。この作業を、切断作業終了地点まで繰り返すことにより、切断作業を終了する。
【実施例２】
【００１７】
茶葉案内板１６のその他の例（実施例２）として、断面が円弧形状となるものを図６に示す。茶葉案内板１６に茶枝葉Ｔが当たった時の動きは、実施例１と同様である。
【実施例３】
【００１８】
茶葉案内板１６のその他の例（実施例３）として、断面が多角形状となるものを図７に示す。茶葉案内板１６に茶枝葉Ｔが当たった時の動きは、実施例１と同様である。
【００１９】
本実施例では、一例として乗用型作業機を使用しているが、乗用型作業機を使用していなくても同様である。
【００２０】
本実施例では、収容袋７を左右に２つ取り付けるため、仕切部１５は１か所だが、この限りではなく、仕切部１５が複数であっても同様である。
【符号の説明】
【００２１】
２    走行装置
４    門型枠
５    切断手段
６    茶葉誘導手段
６Ａ    底板
７    収容袋
９    送風ファン
１０    送風ファン
１１    送風ダクト
１２    送風ダクト
１３    吹出枝管
１５    仕切部
１６    茶葉案内板
１６Ａ    一点
１８    作業者
１９    操作部
２０    茶畝
２１    刈刃
Ｔ    茶枝葉
【図１】
0006755452.tif 000002
【図２】
0006755452.tif 000003
【図３】
0006755452.tif 000004
【図４】
0006755452.tif 000005
【図５】
0006755452.tif 000006
【図６】
0006755452.tif 000007
【図７】
0006755452.tif 000008